(57)【要約】【課題】受信した画像データの配信先のユーザボックスの複数が転送先としてプリントを設定している場合に、用紙の無駄を省くとともに、プリント物の配布先ユーザを認識できる画像形成装置を提供する。【解決手段】ファクスまたは電子メールを受信した場合、配信条件に合致するものがない場合、プリントし、ユーザボックスへの配信がない場合、及び、配信するユーザボックスの転送設定にプリント処理が設定されていない場合には、合致した配信条件の設定に従って配信する（S101〜S105）。また、配信するユーザボックスの転送の中にプリント処理があった場合、プリント処理が複数個あり、印刷部数が制限されていれば、１部のみプリントし、該当するすべてのユーザに１部のみプリントした旨を通知する（S106〜S110）。【選択図】図６
2010147952.tif 000002
【特許請求の範囲】
【請求項１】
外部から画像データを受信する受信部と、受信した画像データをプリントする画像記録部と、受信した画像データの配信条件を記憶する配信条件記憶部と、外部から画像データを受信した場合、前記配信条件記憶部に記憶された配信条件に従って、受信した画像データを配信する制御部とを備えた画像形成装置であって、
前記配信条件記憶部に配信先として複数のユーザボックスが設定できるとともに、各ユーザボックスにプリントを含む転送先が設定でき、
受信した画像データの配信先となる複数のユーザボックスに転送先としてプリントが設定されている場合、前記制御部が、受信した画像データを設定された部数のみ前記画像記録部によりプリントすることを特徴とする画像形成装置。
【請求項２】
外部から画像データを受信する受信部と、受信した画像データをプリントする画像記録部と、受信した画像データの配信条件を記憶する配信条件記憶部と、外部から画像データを受信した場合、前記配信条件記憶部に記憶された配信条件に従って、受信した画像データを配信する制御部とを備えた画像形成装置であって、
前記配信条件記憶部に配信先として複数のユーザボックスが設定できるとともに、各ユーザボックスにプリントを含む転送先が設定でき、
受信した画像データの配信先となる複数のユーザボックスに転送先としてプリントが設定されている場合、前記制御部が、受信した画像データを転送先としてプリントが設定されているユーザボックスの数よりも少ない設定部数のみ前記画像記録部によりプリントすることを特徴とする画像形成装置。
【請求項３】
請求項１または請求項２に記載された画像形成装置において、
各ユーザボックスにそれぞれ付加情報を設定可能であるとともに、受信した画像データの配信先となる複数のユーザボックスに転送先としてプリントが設定されている場合、設定された部数のみプリントする部数制限が設定可能であり、
部数制限が設定されている場合、上記制御部が、受信した画像データを設定された部数のみ前記画像記録部によりプリントし、部数制限が設定されていない場合、上記制御部が、受信した画像データに、上記複数のユーザボックスにそれぞれ設定された付加情報を付加して前記画像記録部によりプリントすることを特徴とする画像形成装置。
【請求項４】
請求項１〜請求項３のいずれかに記載された画像形成装置において、
各ユーザボックスにそれぞれ通知先が設定可能であり、受信した画像データを設定された部数のみプリントする場合、前記制御部が、配信先として設定されている複数のユーザボックスのうち、転送先としてプリントが設定されている複数のユーザボックスに設定されている通知先に、設定された部数のみプリントした旨を通知することを特徴とする画像形成装置。
【発明の詳細な説明】
【技術分野】
【０００１】
本発明は画像形成装置、特に、外部から画像データを受信した場合に、配信条件記憶部に記憶された配信条件に従って受信した画像データを配信する機能を備えた画像形成装置に関する。
【背景技術】
【０００２】
近時、オフィスなどにおいて、ファクシミリスステムが普及してきており、データ通信上有益な役割を果たしている。このようなシステムは、例えば、ＬＡＮ（Local Area Network）などの通信ネットワークにより、ネットワーク複合機及び端末装置いわゆるクライアントパソコンなどを接続して構成されている。このネットワーク複合機は、ファクシミリ受信したデータをクライアントパソコンに転送するとともに、クライアントパソコンから転送先を指定したデータを受信した場合、受信したデータを指定された転送先に送信するようになっている。
【０００３】
このようなネットワーク複合機では、ウェブサーバ機能を有するネットワークボードを備え、ファクスまたは電子メールを受信した場合、受信した画像データを配信条件に従ってフォルダへの保存、プリント等の配信を実行する。そして、受信した画像データをネットワークボード内の個人フォルダあるいは共有フォルダに保存した場合、ユーザはクライアントパソコンからネットワークボードの格納場所にアクセスして画像データを取りだせるようにしている（例えば、特許文献１参照）。
【特許文献１】特開２００６-２９５５８３号公報
【発明の開示】
【発明が解決しようとする課題】
【０００４】
上記のように、ファクスまたは電子メールで受信した画像データを配信条件に従って配信する機能を備えた画像形成装置では、配信先としてプリント、フォルダへの保存、他のファクシミリ装置へのファクス送信等を設定できる。また、配信先として、複数のユーザボックスへの配信も設定でき、このユーザボックスでもプリント、個人フォルダへの保存、他のファクシミリ装置へのファクス送信等を転送先として設定できる。
【０００５】
このような配信システムにおいて、配信条件で設定された複数のユーザボックスの転送先がすべてプリントに設定されていた場合、１つの画像データを受信したとき、その画像データがユーザボックスの数に対応する部数だけプリントされる。しかしながら、他のユーザにプリント物を見せてもらえる場合には、同じ文書を複数ユーザ分プリントすることは紙の無駄となる。また、同じ文書が複数部プリントされ、排紙トレイ上に複数部数積載されると、プリント物がどのユーザのものかわかり難いという問題も生じる。
【０００６】
本発明は、上記の問題に鑑みてなされたもので、受信した画像データの配信先のユーザボックスの複数が転送先としてプリントを設定している場合に、用紙の無駄を省くとともに、プリント物の配布先ユーザを認識できる画像形成装置を提供することを目的とする。
【課題を解決するための手段】
【０００７】
上述の目的を達成するため、本発明の画像形成装置は、外部から画像データを受信する受信部と、受信した画像データをプリントする画像記録部と、受信した画像データの配信条件を記憶する配信条件記憶部と、外部から画像データを受信した場合、前記配信条件記憶部に記憶された配信条件に従って、受信した画像データを配信する制御部とを備えた画像形成装置であって、前記配信条件記憶部に配信先として複数のユーザボックスが設定できるとともに、各ユーザボックスにプリントを含む転送先が設定でき、受信した画像データの配信先となる複数のユーザボックスに転送先としてプリントが設定されている場合、前記制御部が、受信した画像データを設定された部数のみ前記画像記録部によりプリントすることを特徴とする。
なお、上記の設定された部数は、転送先としてプリントが設定されているユーザボックスの数とは無関係に設定可能であるが、通常は、１部等の転送先としてプリントが設定されているユーザボックスの数よリも少ない部数に設定される。
【０００８】
また、本発明の他の画像形成装置は、上記の画像形成装置において、各ユーザボックスにそれぞれ付加情報を設定可能であるとともに、受信した画像データの配信先となる複数のユーザボックスに転送先としてプリントが設定されている場合、設定された部数のみプリントする部数制限が設定可能であり、部数制限が設定されている場合、上記制御部が、受信した画像データを設定された部数のみ前記画像記録部によりプリントし、部数制限が設定されていない場合、上記制御部が、受信した画像データに、上記複数のユーザボックスにそれぞれ設定された付加情報を付加して前記画像記録部によりプリントすることを特徴とする。
【０００９】
また、本発明のさらに他の画像形成装置は、上記の画像形成装置のいずれかにおいて、各ユーザボックスにそれぞれ通知先が設定可能であり、受信した画像データを設定された部数のみプリントする場合、前記制御部が、配信先として設定されている複数のユーザボックスのうち、転送先としてプリントが設定されている複数のユーザボックスに設定されている通知先に、設定された部数のみプリントした旨を通知することを特徴とする。
【発明の効果】
【００１０】
本発明の画像形成装置によれば、受信した画像データの配信先となる複数のユーザボックスに転送先としてプリントが設定されている場合、設定された部数、通常、転送先としてプリントが設定されているユーザボックスの数よりも少ない部数だけがプリントされるので、用紙の無駄を省くことができる。
【００１１】
また、本発明の他の画像形成装置によれば、部数制限が設定されていない場合、複数のユーザボックスにそれぞれ設定された付加情報が付加されてプリントされるので、プリント物の配布先ユーザを容易に認識できる。
【００１２】
また、本発明のさらに他の画像形成装置によれば、受信データを設定された部数のみプリントする場合、配信先として設定されている複数のユーザボックスのうち、転送先としてプリントが設定されている複数のユーザボックスに設定されている通知先に、設定された部数のみプリントした旨が電子メール等により通知される。このため、当該ユーザボックスのユーザは、プリントされるべき画像データが設定部数しかプリントされていないことを容易に認識できる。
なお、電子メールに受信した画像データを添付すれば、ユーザはプリントが必要か否かを容易に判断でき、必要な場合プリントを実行できる。
【実施例】
【００１３】
以下、本発明の画像形成装置としてネットワーク複合機を使用した実施例について、図面を用いて説明する。
図１は端末装置としてのパソコン及びネットワーク複合機を備えたシステムのネットワーク構成例を示す図であり、１はネットワーク複合機、２、３、４・・・はパソコン、５は公衆交換電話網（ＰＳＴＮ）、６はＬＡＮ、７はインターネット網である。ネットワーク複合機１はコピーモード、プリンタモード、ファクスモードの各機能を備えるとともに、メール送信機能も備え、ＰＳＴＮ５及びＬＡＮ６に接続されており、このＬＡＮ６に端末装置として複数のパソコン２、３、４・・・が接続されている。また、このＬＡＮ６はインターネット網７にも接続されており、ネットワーク複合機１はこのインターネット網７を介してメールの送受信を行うことが可能である。
【００１４】
図２はネットワーク複合機１の制御系の構成を示す概略ブロック図である。ＣＰＵ１１はバス２３を介してネットワーク複合機１のハードウェア各部を制御するとともに、ＲＯＭ（Read  Only  Memory）１２に記憶されたプログラムに基づいて各種のプログラムを実行する。ＲＯＭ１２はネットワーク複合機１の動作に必要な種々のプログラムあるいは操作メッセージ等を予め記憶している。
また、ＲＡＭ（Random  Access  Memory）１３はＳＲＡＭ（Static  Random  Access  Memory）等で構成され、プログラムの実行時に発生する一時的なデータを記憶する。このＲＡＭ１３は、ファクスまたは電子メールを受信した場合の配信条件を記憶する配信設定テーブル２４の記憶領域を備えている。
【００１５】
この配信設定テーブル２４は、送信元のファクス番号あるいは電子メールの情報から配信先を決定するための条件が設定されるテーブルである。
すなわち、ファクスを受信した場合、通常、受信情報から送信宛先のユーザを特定することは困難である。一方、電子メールは所定のヘッダ情報と本文とから構成されており、ヘッダ情報には、電子メールの宛先を示す“To”、電子メールの発信者を示す“From”、電子メールの題名等の付加的情報を示す“Subject”等が含まれている。しかしながら、ネットワーク複合機１で電子メールを受信する場合、“To”フィールドにはネットワーク複合機1専用の電子メールアドレスが記載されているため、送信宛先のユーザを特定することができない。
このため、着信時に交換機から送られてくる発信者番号通知、ＩＳＤＮサブアドレス、ファクシミリ手順の中のＴＳＩ信号としての発信元番号、電子メールの情報等から配信先を決定するための情報を配信設定テーブル２４に設定するようにしている。
【００１６】
図３は上記の配信設定テーブル２４の一例を示すものであり、この例では、ＴＳＩが「０３−４５６７−８９９９」のファクスを９時から１７時の間に受信した場合は、配信先に設定されたメールアドレスに転送するとともに、プリント出力を行う。また、月曜から金曜の間に発信元メールアドレスに“ａｂｃ”の文字が含まれたインターネットファクスを受信した場合は、ユーザＡ、ユーザＢ、ユーザＣのユーザボックスに配信し、プリント出力は行わない。
【００１７】
上記の配信設定テーブル２４の設定は表示・操作部１４に表示される設定登録画面あるいはパソコン２、３、４等のモニタの設定入力画面からユーザが入力することにより、それぞれの設定を配信設定テーブル２４に登録できる。この場合、配信先として、「プリントする」、「設定したファクス番号へのファックス送信」、「設定したメールアドレスへのメール送信」、「共有フォルダへの保存」、「ユーザボックスへの配信」等の複数個を選択できる。また、ユーザボックスへの配信として複数のユーザボックスを設定でき、各ユーザは自分のユーザボックスについて上記と同様に転送先を設定できる。
【００１８】
図４はパソコン２、３、４等のモニタに表示されるユーザボックスの設定入力画面の一例である。図に示すように、この設定入力画面では、「当該ユーザの受信ボックスに残す」、「プリントする」、「他のユーザに転送する」、「ファクスで転送する」、「電子メールで転送する」の中から一つを設定できる。また、「プリントする」に設定した場合、受信した画像データにヘッダ情報、フッタ情報として付加するユーザ名または文字列を入力できるとともに、ヘッダ情報、フッタ情報を付加するページを設定できる。
また、ヘッダ情報、フッタ情報の下の欄に、プリントの部数制限が実行される場合の通知先、例えば、メールアドレスを設定できる。さらに、設定入力画面上部の転送欄で転送機能の有効／無効を設定することができ、この欄を無効（ＯＦＦ）にすれば、ユーザボックスへの配信時に設定されている転送が実行されない。
【００１９】
上記のような配信条件を設定することにより、図５に示すように、外部からファクス、インターネットファクス（電子メール）を受信した場合、プリント、共有フォルダへの保存、他のファクシミリ装置へのファクス送信等が実行される。また、ユーザボックスへの配信が設定されている場合には、各ユーザボックスの転送設定に従ってプリント、個人フォルダへの保存、あるいは、ファクス送信等が実行される。
【００２０】
一方、表示・操作部１４は、ネットワーク複合機１の動作状態を表示したり、種々の機能の操作画面の表示を行う表示部と、ネットワーク複合機１を操作するための多数の操作キーとから構成されている。読取部１５はオートドキュメントフィーダー（ＡＤＦ）あるいはフラットベッドスキャナ（ＦＢＳ）等の読取り用原稿載置台を備え、ＣＣＤ等を利用したスキャナで原稿を読み取り、ドットイメージデータを出力する。
【００２１】
また、画像メモリ１６は、ＤＲＡＭ（Dynamic  Random  Access  Memory）等を用いて構成され、送信すべきイメージデータまたは受信したイメージデータあるいは読取部１５で読み取ったイメージデータを記憶する。記録部１７は電子写真方式等のプリンタ装置を備え、受信したデータ、コピー原稿データあるいは外部のパソコンから送信されたプリントデータをプリントアウトする。
【００２２】
コーデック１８は所定のプロトコルに対応して符号化及び復号するものであり、読み取った原稿の画像データを送信するためにＭＨ、ＭＲまたはＭＭＲ方式により符号化し、外部から受信した画像データを復号する。また、このコーデック１８は、電子メールに添付可能なファイルとして一般的に利用される画像フォーマットであるＴＩＦＦ方式等にも対応して符号化、復号する。
【００２３】
モデム１９はバス２３に接続されており、ファクシミリ通信が可能なファックスモデムとしての機能を有し、このモデム１９は同様にバス２３に接続されたネットワーク制御ユニット（ＮＣＵ）２０と接続されている。ＮＣＵ２０はアナログ回線の閉結及び開放の動作を行うハードウェアであり、必要に応じてモデム１９をＰＳＴＮ５に接続する。
【００２４】
また、ネットワークボード２１はウェブサーバ機能を有し、パソコン２、３、４等との通信機能を実行するとともに、画像データを保存するハードディスク等のデータ記憶部を備えている。このデータ記憶部は各ユーザの個人フォルダ及び共有フォルダを備え、ファクスまたは電子メールで受信した画像データが配信条件に従って所定のフォルダに保存されて管理される。このデータ記憶部の各フォルダに保存された画像データをパソコン２、３、４等から見る場合、ＷＷＷブラウザを使用して見ることができる。すなわち、ユーザはＷＷＷブラウザを起動し、ＷＷＷブラウザ画面において、ネットワーク複合機１のＩＰアドレスを指定してアクセスすることにより、ネットワーク複合機１に接続されるので、所望の画像データを見ることができる。
【００２５】
一方、ＬＡＮインターフェース（ＬＡＮ  Ｉ／Ｆ）２２はＬＡＮ６に接続され、外部のパソコンからのデータあるいはインターネット網７からの信号をＬＡＮ６を介して受信する。また、このＬＡＮインターフェース２２は、ＬＡＮ６に対して信号またはデータの送信も行うものであり、信号変換あるいはプロトコル変換などのインターフェース処理を実行する。
【００２６】
ネットワーク複合機１は上記のような構成を備えており、ファクシミリ送信時には、原稿の画像データが読取部１５で読み取られ、コーデック１８で圧縮されて画像メモリ１６に蓄積される。この圧縮された画像データが画像メモリ１６から読み出されてモデム１９で変調され、ＮＣＵ２０からＰＳＴＮ６を通して通信相手先に送信される。また、ファクシミリ受信時または電子メール受信時には、受信した画像データが配信設定テーブル２４の配信条件に基づいて配信される。
【００２７】
次に、ファクス又は電子メールを受信した場合のＣＰＵ１１の作用を図６のフローチャートにより説明する。
ファクスまたは電子メールを受信した場合、ＣＰＵ１１は図６のフローチャートに示す配信プログラムを開始する。この配信プログラムにより、ＣＰＵ１１は、まず、配信設定テーブル２４を参照することにより受信したファクス、電子メールの情報の中に配信条件に合致するものがあるか否かを判定する（ステップ１０１）。
ファクス、電子メールの情報の中に配信条件に合致するものがないと判定した場合、ＣＰＵ１１は、受信した画像データを記録部１７によりプリントした（ステップ１０２）後、プログラムを終了する。
【００２８】
一方、ファクス、電子メールの情報の中に配信条件に合致するものがあったと判定した場合、ＣＰＵ１１は、合致した配信条件の設定の中にユーザボックスへの配信があるか否かを判定する（ステップ１０３）。合致した配信条件の設定の中にユーザボックスへの配信がないと判定した場合、ＣＰＵ１１は、合致した配信条件の設定に従って受信した画像データを配信した（ステップ１０４）後、プログラムを終了する。また、合致した配信条件の設定の中にユーザボックスへの配信があったと判定した場合、ＣＰＵ１１は、配信するユーザボックスの転送の中にプリント処理があるか否かを判定する（ステップ１０５）。
【００２９】
配信するユーザボックスの転送の中にプリント処理がないと判定した場合、ＣＰＵ１１は、合致した配信条件の設定に従って受信した画像データを配信する（ステップ１０４）。また、配信するユーザボックスの転送の中にプリント処理があったと判定した場合、プリント処理を行うユーザボックスへの配信を除く、その他の配信先に受信した画像データを配信する（ステップ１０６）。次に、ＣＰＵ１１は、ユーザボックスへの配信によるプリント処理が複数個あるか否かを判定し（ステップ１０７）、プリント処理が一つであると判定した場合、記録部１７により受信した画像データをプリントする（ステップ１０２）。
【００３０】
ステップ１０７でユーザボックスへの配信によるプリント処理が複数個あると判定した場合、ＣＰＵ１１は、ユーザボックスへの配信に基づくプリント処理に印刷部数の制限があるか否かを判定する（ステップ１０８）。
なお、このユーザボックスへの配信によるプリント処理に関する印刷部数の制限の可否及び印刷部数の設定ならびに変更はパスワードを必要とし、ネットワーク複合機１の管理者のみがネットワーク複合機１本体またはパソコンから実行できる。
【００３１】
図７は、このユーザボックスへの配信によるプリント処理に関する印刷部数の制限の可否の設定画面の一例であり、「個人転送プリント制限」の欄を有効（ＯＮ）にし、制限部数を入力することにより印刷部数を制限できる。また、「個人転送プリント制限について」の欄では、印刷部数の制限を行う場合にユーザに通知を行うか否かを設定できる。そして、図示の例では４つの通知方法を選択することができ、ネットワーク複合機１の管理者は４つの中から所望の通知方法を１つまたは複数個選択できる。
【００３２】
ユーザボックスへの配信によるプリント処理に印刷部数の制限があると判定した場合、ＣＰＵ１１は、受信した画像データを設定された部数、例えば、１部のみ記録部１７によりプリントする（ステップ１０９）。次に、ＣＰＵ１１は、配信先として設定されている複数のユーザボックスのうち、転送先としてプリントが設定されている全てのユーザボックスのユーザに受信した画像データを１部のみプリントした旨を通知した（ステップ１１０）後、プログラムを終了する。例えば、図７の設定画面で「メールにプリント処理するファイルを添付する」が選択されている場合、ＣＰＵ１１は、該当するユーザの通知先に、受信した画像データのサムネイル画像を添付したメールを送信する。なお、図７の設定画面で「通知しない」が選択されている場合、このステップの実行は行われない。
【００３３】
一方、ステップ１０８でプリント処理に印刷部数の制限がないと判定した場合、ＣＰＵ１１は、配信先として設定されている複数のユーザボックスのうち、転送先としてプリントが設定されているユーザボックスの一つを選択し、設定されているヘッダ情報、フッタ情報を受信した画像データに付加する（ステップ１１１）。次に、ＣＰＵ１１は、ヘッダ情報、フッタ情報を付加した画像データを記録部１７によりプリントする（ステップ１１２）。これにより、ユーザが図４に示すように、ヘッダ情報、フッタ情報を設定していた場合、図８に示すように、１ページ目にのみヘッダ情報、フッタ情報が付加され、２ページ以降にはフッタ情報のみが付加されて画像データがプリントされる。
【００３４】
プリント処理を実行した後、ＣＰＵ１１は、配信先として設定されている複数のユーザボックスのうち、転送先としてプリントが設定されているユーザボックスのすべてについてプリント処理を実行したか否かを判定する（ステップ１１３）。プリント処理が残っていた場合、ＣＰＵ１１は、ステップ１１１に戻って次のユーザボックスに対するプリント処理を実行し、すべてのユーザボックスについてプリント処理を実行したと判定した場合には、プログラムを終了する。
【００３５】
以上のように、受信した画像データの配信設定に複数のユーザボックスが設定され、かつ、複数のユーザボックスに転送先としてプリント処理が設定されているとき、部数制限がなされている場合には、設定された部数、通常、転送先としてプリントが設定されているユーザボックスの数よりも少ない部数だけ受信した画像データがプリントされる。これにより、受信した画像データが複数部数プリントされるのを防止できるので、用紙の無駄を省くことができる。
また、部数制限が設定されていない場合、受信した画像データに各ユーザの設定した付加情報を付加してプリントされるので、プリント物の配布先ユーザを容易に認識できる。
【００３６】
さらに、受信した画像データを設定された部数のみプリントする場合、配信先として設定されている複数のユーザボックスのうち、転送先としてプリントが設定されている複数のユーザボックスに設定されている通知先に、設定された部数のみプリントした旨が通知されるので、各ユーザが容易に文書を受信したことを認識できる。なお、上記のように、電子メールに受信した画像データのサムネイル画像を添付しておけば、このサムネイル画像から受信画像データの内容を把握し、プリントの要否を判断できる。また、他のユーザにプリント文書を見せてもらうことにより受信した画像データの内容を把握でき、必要であれば、プリントまたはコピーを行うことが可能である。
【００３７】
なお、上記の実施例では、ネットワーク複合機１の管理者にユーザボックスへの配信によるプリント処理に関する印刷部数の制限の可否を設定させるようにしたが、常に部数制限を実行することも可能である。この場合には、図６のフローチャートのステップ１０８、ステップ１１１〜１１３を省略し、ネットワーク複合機１の管理者に印刷部数のみを設定させるようにすればよい。また、管理者に印刷部数の設定をさせず、ユーザボックスへの配信によるプリント処理を実行する場合は、常に、１部のみプリントするようにしてもよい。
【００３８】
また、上記の実施例では、印刷部数の制限を行っている場合、配信先として設定されている複数のユーザボックスのうち、転送先としてプリントが設定されているユーザボックスのユーザにメールまたはインフォモニタにより通知したが、ネットワーク複合機から音声あるいはランプで報知することもできる。このようにしても、通常、受信した画像データに宛先及び差出人等が記載されているので、受け取るべきユーザを認識できる。なお、インフォモニタは、パソコンに常駐しているアプリケーションによりポップアップ画面でユーザに通知するものである。
【００３９】
さらに、各ユーザボックスの転送先設定にはパスワードが必要とし、パスワードが一致したときのみ、ユーザボックスの転送設定ができるようにしてもよい。
また、上記の実施例では、本発明の画像形成装置としてネットワーク複合機を使用した例について説明したが、本発明の画像形成装置としてはコピー機能、パソコンプリント機能等を持たないファクシミリ装置やファクシミリサーバにも適用することが可能である。
【図面の簡単な説明】
【００４０】
【図１】本発明の画像形成装置としてネットワーク複合機を使用したシステムのネットワーク構成例を示す図である。
【図２】ネットワーク複合機のハードウェア構成を示すブロック図である。
【図３】配信設定テーブルの一例を示す図である。
【図４】ユーザボックスの設定入力画面の一例である。
【図５】ファクス、電子メールを受信した場合の配信状況を説明するための図である。
【図６】ファクス、電子メールを受信した場合の配信の作用を示すフローチャートである。
【図７】印刷部数の制限可否の設定画面の一例である。
【図８】ヘッダ情報、フッタ情報が付加されてプリントされた画像データの一例である。
【符号の説明】
【００４１】
１  ネットワーク複合機
２、３、４  パソコン
５  ＰＳＴＮ
６  ＬＡＮ
７  インターネット網
１１  ＣＰＵ
１２  ＲＯＭ
１３  ＲＡＭ
１４  表示・操作部
１５  読取部
１６  画像メモリ
１７  記録部
１８  コーデック
１９  モデム
２０  ＮＣＵ
２１  ネットワークボード
２２  ＬＡＮ  Ｉ／Ｆ
２３  バス
【図１】
2010147952.tif 000003
【図２】
2010147952.tif 000004
【図３】
2010147952.tif 000005
【図４】
2010147952.tif 000006
【図５】
2010147952.tif 000007
【図６】
2010147952.tif 000008
【図７】
2010147952.tif 000009
【図８】
2010147952.tif 000010